(57)【要約】【課題】誘導加熱コイルなどの冷却を促進させ、発熱部材の配置自由度を高めた誘導加熱調理器を提供することを目的とする。【解決手段】トッププレート２と、誘導加熱コイル３ａ・・・と、誘導加熱コイルを駆動する駆動回路部を設けた複数の電子基板４と、遠心ファン８とを備え、遠心ファン８は吸込口６と複数の吹出口７ａ、７ｂを有し、吹出口７ａを遠心ファン８の軸方向と一致する方向に配置して電子基板４に向けて冷却風を吹出し、吹出口７ｂを遠心ファン８の半径方向に配置して誘導加熱コイル３ａ・・・に向けて冷却風を吹出すようにしたものである。これによって、誘導加熱コイルなどの発熱部材を冷却する際に遠心ファン８からの冷却風の経路を最短に設けることができ、通風抵抗の低減により発熱部材の冷却を促進させ、材料コストが安価になり、発熱部材の配置自由度を高めることができる。【選択図】図２
2008258048.tif 000002
【特許請求の範囲】
【請求項１】
トッププレートと、前記トッププレートの下方に設けられた複数の誘導加熱コイルと、前記誘導加熱コイルを駆動する駆動回路部を設けた複数の電子基板と、前記誘導加熱コイルおよび電子基板を冷却する遠心ファンとを備え、前記遠心ファンは吸込口と複数の吹出口を有し、吹出口の少なくとも一つを遠心ファンの軸方向と一致する方向に配置して電子基板に向けて冷却風を吹出し、他の吹出口を遠心ファンの半径方向に配置して誘導加熱コイルに向けて冷却風を吹出すようにした誘導加熱調理器。
【請求項２】
遠心ファンの吹出口より冷却風を直接電子基板および誘導加熱コイルに向けて吹出すようにした請求項１に記載の誘導加熱調理器。
【請求項３】
吹出口からの冷却風を、ダクトを介して誘導加熱コイルに吹出すようにした請求項１に記載の誘導加熱調理器。
【請求項４】
遠心ファンはそのモータを両軸とし、軸流ファンを追加して設けた請求項１に記載の誘導加熱調理器。
【請求項５】
遠心ファンのモータの少なくとも一部を遠心ファンのブレード内に配置する構成とした請求項１〜４のいずれか１項に記載の誘導加熱調理器。
【請求項６】
遠心ファンのモータを保持するモータホルダーに、モータの冷却を促進する複数の冷却孔を設けた請求項１〜５のいずれか１項に記載の誘導加熱調理器。
【発明の詳細な説明】
【技術分野】
【０００１】
本発明は、発熱部材の温度上昇を遠心ファンにより抑制するようにした誘導加熱調理器に関するものである。
【背景技術】
【０００２】
従来、この種の誘導加熱調理器は、ターボファンを用いて誘導加熱コイルと電子基板を冷却するようにしたものが知られている（例えば、特許文献１参照）。
【特許文献１】特開２００５−３０２４０７号公報
【発明の開示】
【発明が解決しようとする課題】
【０００３】
しかしながら、前記従来の構成では、ターボファンから誘導加熱コイルなどを冷却する経路が長くなり、通風抵抗が増加することによる冷却性能の悪化や、材料コストが高くなるという課題を有していた。
【０００４】
本発明は、前記従来の課題を解決するもので、誘導加熱コイルなどを冷却する際に冷却風の経路を最短として、通風抵抗の低減により誘導加熱コイルなどの冷却を促進させ、材料コストが安価になり、発熱部材の配置自由度を高めた誘導加熱調理器を提供することを目的とする。
【課題を解決するための手段】
【０００５】
前記従来の課題を解決するために、本発明の誘導加熱調理器は、トッププレートと、前記トッププレートの下方に設けられた複数の誘導加熱コイルと、前記誘導加熱コイルを駆動する駆動回路部を設けた複数の電子基板と、前記誘導加熱コイルおよび電子基板を冷却する遠心ファンとを備え、前記遠心ファンは吸込口と複数の吹出口を有し、吹出口の少なくとも一つを遠心ファンの軸方向と一致する方向に配置して電子基板に向けて冷却風を吹出し、他の吹出口を遠心ファンの半径方向に配置して誘導加熱コイルに向けて冷却風を吹出すようにしたものである。
【０００６】
これによって、誘導加熱コイルなどを冷却する際に遠心ファンからの冷却風の経路を最短に設けることができ、通風抵抗の低減により誘導加熱コイルなどの冷却を促進させ、材料コストが安価になり、発熱部材の配置自由度を高めることができる。
【発明の効果】
【０００７】
本発明の誘導加熱調理器は、通風抵抗の低減により誘導加熱コイルなどの冷却を促進させ、材料コストが安価になり、発熱部材の配置自由度を高めることができる。
【発明を実施するための最良の形態】
【０００８】
第１の発明は、トッププレートと、前記トッププレートの下方に設けられた複数の誘導加熱コイルと、前記誘導加熱コイルを駆動する駆動回路部を設けた複数の電子基板と、前記誘導加熱コイルおよび電子基板を冷却する遠心ファンとを備え、前記遠心ファンは吸込口と複数の吹出口を有し、吹出口の少なくとも一つを遠心ファンの軸方向と一致する方向に配置して電子基板に向けて冷却風を吹出し、他の吹出口を遠心ファンの半径方向に配置して誘導加熱コイルに向けて冷却風を吹出すようにした誘導加熱調理器とするものである。これによって、誘導加熱コイルなどを冷却する際に遠心ファンからの冷却風の経路を最短に設けることができ、通風抵抗の低減により誘導加熱コイルなどの冷却を促進させ、材料コストが安価になり、発熱部材の配置自由度を高めることができる。
【０００９】
第２の発明は、特に、第１の発明において、遠心ファンの吹出口より冷却風を直接電子基板および誘導加熱コイルに向けて吹出すようにしたことにより、直接電子基板および誘導加熱コイルの冷却を促進させ、材料コストを安価に抑えることが可能となる。
【００１０】
第３の発明は、特に、第１の発明において、吹出口からの冷却風を、ダクトを介して誘導加熱コイルに吹出すようにしたことにより、ダクト作用により、さらに誘導加熱コイルの冷却を促進させることが可能となる。
【００１１】
第４の発明は、特に、第１の発明において、遠心ファンはそのモータを両軸とし、軸流ファンを追加して設けたことにより、遠心ファンの軸方向に一致する方向の冷却風の速度を均一にするため、吹出口下流に設けた電子基板の冷却を促進させ、電子基板の配置自由度を高くすることが可能となる。
【００１２】
第５の発明は、特に、特に、第１〜第４のいずれか１つの発明において、遠心ファンのモータの少なくとも一部を遠心ファンのブレード内に配置する構成としたことにより、より小型に遠心ファンを構成することができ、電子基板などのスペースを増大させ、配置自由度を高くすることが可能となる。
【００１３】
第６の発明は、特に、第１〜第５のいずれか１つの発明において、遠心ファンのモータを保持するモータホルダーに、モータの冷却を促進する複数の冷却孔を設けたことにより、モータの内部温度や軸受温度を効果的に低減できモータ特性を向上させることが可能となる。
【００１４】
以下、本発明の実施の形態について、図面を参照しながら説明する。なお、この実施の形態によって本発明が限定されるものではない。
【００１５】
（実施の形態１）
図１、図２は、本発明の実施の形態１における誘導加熱調理器を示すものである。
【００１６】
図に示すように、本実施の形態における誘導加熱調理器は、本体１の上方に配置したガラス製のトッププレート２と、トッププレート２の下方に設けられた複数の誘導加熱コイル３ａ、３ｂ、３ｃと、誘導加熱コイル３ａ、３ｂ、３ｃを駆動する駆動回路部を設けた複数の電子基板４と、誘導加熱コイル３ａ、３ｂ、３ｃおよび電子基板４を冷却する遠心ファン８とを備えている。
【００１７】
前記誘導加熱コイル３ａ、３ｂ、３ｃはコイル支持台９によって保持されている。誘導加熱コイル３ａ、３ｂ、３ｃとコイル支持台９は接着あるいは樹脂部品などを介してネジ止めによって締結されている。コイル支持台９は支持部１０の上方にあり、コイル型のバネ１１によりトッププレート２上方向に付勢されている。支持部１０には複数の突起物１０ａが設けられ、この突起物１０ａの外周にバネ１１が配置されている。バネ１１は複数設けられ、誘導加熱コイル３ａ、３ｂ、３ｃとトッププレート２が略並行になるように配置されている。
【００１８】
前記電子基板４は本体１上の基板ベース１２にネジ止めなどによって締結されており、電子基板４と基板ベース１２が段積みになって複数積み重ねられている。
【００１９】
前記遠心ファン８はファン５の軸方向を水平方向とし、ファン５のケーシング１５に吸込口６と複数の吹出口７ａ、７ｂを有し、吹出口の少なくとも一つの吹出口７ａを遠心ファン８の軸方向と一致する方向に配置して電子基板４に向けて冷却風を吹出し、他の吹出口７ｂを遠心ファン８の半径方向に配置して誘導加熱コイル３ａ、３ｂ、３ｃおよびトッププレート２に向けて冷却風を吹出すようにしている。
【００２０】
また、遠心ファン８は、トッププレート２奥側に設けた吸気口１３と排気口１４のうち、吸気口１３近傍の本体１内部の奥側下部に設けてあり、ケーシング１５の吸込口６を奥側とすることで遠心ファン８の直径を大きくすることができるようにしている。これにより、少ない回転数で大風量を送風することができるため、冷却性能の向上と騒音低減の効果を奏している。なお、遠心ファン８は、ターボファン、ラジアルファン、多翼ファンなどのファンを用いてもよい。
【００２１】
遠心ファン８のモータ１７は、ケーシング１５の一部を構成するモータホルダー１６にネジ止めなどによって締結されている。モータ１７はモータホルダー１６に対して手前側、奥側どちらに固定してもよい。モータ１７をモータホルダー１６に固定する際に、防振ゴム１８を介してネジ止めすると遠心ファン８の本体１への振動の伝導を低減できるため、騒音低減の効果を奏する。モータホルダー１６は本体１にネジ止めによって締結されている。なお、遠心ファン８の吹出口７ｂは、実際にはケーシング１５の一部を構成するモータホルダー１６に設けてあり、遠心ファン８の軸方向と一致する方向である。
【００２２】
以上のように構成された誘導加熱調理器について、その動作、作用を説明する。
【００２３】
図２における矢印は冷却風の経路を示している。まず、遠心ファン８が駆動されると、トッププレート２の後方に設けられた吸気口１３から外気が入り、遠心ファン８の吸込口６を通る。遠心ファン８が吸気した空気の一部が遠心ファン８の軸方向と一致する方向に設けられた吹出口７ａを通過し、電子基板４に向けて吹出され、誘導加熱コイル３ａ、３ｂ、３ｃを駆動する駆動回路部を構成するスイッチング素子やダイオドブリッジといった発熱部品を冷却し、その後側方や後方へ抜けながら本体１を冷却し、排気口１４より外へ排出される。なお、電子基板４を冷却した後に基板ベース１２の上部に近接する様にダクトを設けて誘導加熱コイル３ａ、３ｂ、３ｃを冷却する構成としてもよい。
【００２４】
また、遠心ファン８が吸気した空気の一部は、遠心ファン８の半径方向に設けられた吹出口７ｂを通過し、誘導加熱コイル３ａ、３ｂ、３ｃやトッププレート２を冷却し、その後、排気口１４より外へ排出される。
【００２５】
このように、本実施の形態では、冷却風の経路として大きくは先に述べた２経路を構成することにより、全体を冷却する構成となっており、特に、遠心ファン８の半径方向に設けられた吹出口７ｂにより、最短経路で遠心ファン８上部に冷却風を導くことができるため、冷却を促進させ、材料コストを安価に抑え、電子基板４などの発熱部材の配置自由度を高くすることが可能となる。
【００２６】
（実施の形態２）
図３は、本発明の実施の形態２における誘導加熱調理器を示すものである。基本的な構成は実施の形態１と同様であるため、相違点を中心に説明する。
【００２７】
図に示すように、本実施の形態では、ケーシング１５の上部には遠心ファン８の半径方向に吹出口７ｂが少なくとも一つ設けられているが、この半径方向の吹出口７ｂはケーシング１５と奥側の誘導加熱コイル３ｃの間に設けられている。すなわち、遠心ファン８の吹出口７ｂより冷却風を誘導加熱コイル３ａ、３ｂ、３ｃに向けて吹出して最短経路で冷却できるようにしている。特に、誘導加熱コイル３ｃは直接冷却風があたることにより冷却促進がなされるものである。また、電子基板４などの発熱部材は、実施の形態１で説明したように、吹出口７ａよりの冷却風により直接冷却されるものである。
【００２８】
なお、遠心ファン８の配置によっては誘導加熱コイル３ｃと同様に、誘導加熱コイル３ａ、３ｂに直接冷却風を導くことが可能となり、誘導加熱コイルの数にかかわらず（１個以上）同様の方法で直接冷却風を導くことが可能となる。また、ケーシング１５の半径方向の吹出口７ｂを複数設けることでも、複数の誘導加熱コイルに対して直接冷却風を導くことが可能となる。
【００２９】
このように、本実施の形態では、直接誘導加熱コイル３ａ、３ｂ、３ｃおよび電子基板４などの発熱部材の冷却を促進させ、材料コストを安価に抑えることが可能となる。
【００３０】
（実施の形態３）
図４は、本発明の実施の形態３における誘導加熱調理器を示すものである。基本的な構成は実施の形態１と同様であるため、相違点を中心に説明する。
【００３１】
図に示すように、本実施の形態では、ケーシング１５の上部には遠心ファン８の半径方向に吹出口７ｂが少なくとも一つ設けられているが、この半径方向の吹出口７ｂを覆うように近接してダクト１９が設けられ、冷却風を誘導加熱コイル３ｃに直接導いている。このダクト１９により、途中経路での冷却風の漏れを防ぐことができるため、特に、誘導加熱コイル３ｃの冷却を促進させ、材料コストを安価に抑えることが可能となる。
【００３２】
なお、遠心ファン８の配置によっては誘導加熱コイル３ａ、３ｂに同様の方法で直接冷却風を導くことが可能となり、誘導加熱コイルの数が４以上や２以下の場合でも同様の方法で直接冷却風を導くことが可能となる。また、ダクト１９の形状の吐出口を複数設けることでも複数の誘導加熱コイルに対して、直接冷却風を導くことが可能となる。
【００３３】
このように、本実施の形態では、ダクト１９作用により、さらに誘導加熱コイルの冷却を促進させることが可能となる。
【００３４】
（実施の形態４）
図５は、本発明の実施の形態４における誘導加熱調理器を示すものである。基本的な構成は実施の形態１と同様であるため、相違点を中心に説明する。
【００３５】
図に示すように、本実施の形態では、遠心ファン８はそのモータ１７を両軸とし、ファン５に加えて吹出口７ｂ側に軸流ファン２０を追加して設けたものである。なお、軸流ファン２０の直径を大きく設けることで、ファン全体の吸気風量を増加させる効果を奏する。また、軸流ファン２０の直径を小さく設けることで、ファンのブレード音による騒音の増大がほとんどないという効果を奏する。
【００３６】
このように、本実施の形態では、軸流ファン２０を設けたことにより、遠心ファンの軸方向に一致する方向の冷却風の速度を均一にするため、吹出口７ｂ下流に設けた電子基板４などの発熱部材の冷却を促進させ、電子基板の配置自由度を高くすることが可能となる。
【００３７】
（実施の形態５）
図６は、本発明の実施の形態５における誘導加熱調理器の遠心ファンを示すものである。基本的な構成は実施の形態１と同様であるため、相違点を中心に説明する。
【００３８】
図に示すように、本実施の形態では、遠心ファン８のモータ１７の少なくとも一部を遠心ファン８のファン５を構成するブレード２１内に配置する構成としたものである。すなわち、モータホルダー１６のモータ１７取付け面を遠心ファン８と反対側に移動させ、遠心ファン８のハブ側にモータ１７を収納する形状を設け、モータ１７を遠心ファン８のブレード２１に少なくとも一部を内蔵する構成としたものである。このとき、遠心ファン８のハブ側にモータ１７を収納する形状に対してＲを付けるなど滑らか構成とすることで、気流の乱れを抑えることができ低騒音化を実現することが可能となる。
【００３９】
なお、モータホルダー１６のモータ１７取付け面の少なくとも一部を遠心ファン８のブレード２１に内蔵する構成とすることもできる。この場合、モータ１７取付け面と遠心ファン８の重心が近距離となるため、遠心ファン８のアンバランスによる振動などを低減するという効果を奏する。
【００４０】
このように、本実施の形態では、モータ１７の配置構成により、より小型に遠心ファンを構成することができ、電子基板などのスペースを増大させ、配置自由度を高くすることが可能となる。
【００４１】
（実施の形態６）
図７は、本発明の実施の形態６における誘導加熱調理器の遠心ファンを示すものである。基本的な構成は実施の形態１、５と同様であるため、相違点を中心に説明する。
【００４２】
図に示すように、本実施の形態では、遠心ファン８のモータ１７を保持する樹脂または板金製のモータホルダー１６に、モータ１７の冷却を促進する複数の冷却孔２２を設けたものである。この複数の冷却孔２２は、モータ１７近傍の風速を増加させるものであり、モータの温度上昇を抑制する。なお、モータホルダー１６を板金製とすると、モータホルダー１６がモータ１７の放熱フィンの役割を果たし、放熱効果を高めることができる。
【００４３】
このように、本実施の形態では、冷却孔２２を設けたことにより、モータ１７の内部温度や軸受温度を効果的に低減できモータ特性を向上させることが可能となる。
【産業上の利用可能性】
【００４４】
以上のように、本発明にかかる誘導加熱調理器は、通風抵抗の低減により誘導加熱コイルなどの冷却を促進させ、材料コストが安価になり、発熱部材の配置自由度を高めることができるので、システムキッチンなどに組み込む組み込み型または据置き型あるいは卓上型など誘導加熱調理器全般に適用できる。
【図面の簡単な説明】
【００４５】
【図１】本発明の実施の形態１における誘導加熱調理器の分解斜視図
【図２】同誘導加熱調理器の主要部の断面図
【図３】本発明の実施の形態２における誘導加熱調理器の主要部の断面図
【図４】本発明の実施の形態３における誘導加熱調理器の主要部の断面図
【図５】本発明の実施の形態４における誘導加熱調理器の主要部の断面図
【図６】本発明の実施の形態５における誘導加熱調理器の遠心ファンの断面図
【図７】本発明の実施の形態６における誘導加熱調理器の遠心ファンの断面図
【符号の説明】
【００４６】
１  本体
２  トッププレート
３ａ、３ｂ、３ｃ  誘導加熱コイル
４  電子基板
５  ファン
６  吸込口
７ａ、７ｂ  吹出口
８  遠心ファン
１５  ケーシング
１６  モータホルダー
１７  モータ
１９  ダクト
２０  軸流ファン
２１  ブレード
２２  冷却孔
【図１】
2008258048.tif 000003
【図２】
2008258048.tif 000004
【図３】
2008258048.tif 000005
【図４】
2008258048.tif 000006
【図５】
2008258048.tif 000007
【図６】
2008258048.tif 000008
【図７】
2008258048.tif 000009